(57)【要約】【課題】  他システムの直接通信波を受信した場合に、その旨利用者に報知して、手動または自動でチャネルを切り替えて自システムの直接通信を可能とし、利便性及び通信の信頼性を向上させることができる無線機及びその直接通信方法を提供する。【解決手段】  受信データ判定部１８が、受信データ中に含まれる呼び出し符号が呼び出し符号記憶部１５に記憶されている自システムの呼び出し符号とが一致しなかった場合に、鳴音部１９又は／及び表示部２０に報知動作を行う指示を出力し、操作部２１からの指示に従って、周波数設定部２２が内部に記憶されている周波数の優先順位に基づいて、送信周波数及び受信周波数を次順位の周波数に切り替える無線機としている。【選択図】        図１
2010283725.tif 000002
【特許請求の範囲】
【請求項１】
送信処理を行う送信部と、受信処理を行う受信部と、音声符号化／復号化を行うコーデック部とを備え、特定の無線通信システムにおいて直接通信を行う無線機であって、
自システムの呼び出し符号を記憶する呼び出し符号記憶部と、
受信信号中の呼び出し符号と前記呼び出し符号記憶部に記憶されている自システムの呼び出し符号とを比較して、一致しない場合に、報知動作を行う指示を出力する受信データ判定部と、
前記報知動作を行う指示が入力されると、鳴音又は／及び表示により外部への報知動作を行う報知部と、
利用者が周波数を切り替える指示を入力する操作部と、
予め送信及び受信に用いられる周波数の優先順位を記憶しており、前記操作部から周波数を切り替える指示が入力されると、前記優先順位に基づいて、現在使用中の前記送信部の送信周波数及び前記受信部の受信周波数を次の順位の周波数に切り替える周波数設定部とを備えたことを特徴とする無線機。
【請求項２】
送信処理を行う送信部と、受信処理を行う受信部と、音声符号化／復号化を行うコーデック部とを備え、特定の無線通信システムにおいて直接通信を行う無線機であって、
自システムの呼び出し符号を記憶する呼び出し符号記憶部と、
受信信号中の呼び出し符号と前記呼び出し符号記憶部に記憶されている自システムの呼び出し符号とを比較して、一致しない場合に、周波数を切り替える指示を出力する受信データ判定部と、
予め送信及び受信に用いられる周波数の優先順位を記憶しており、前記周波数を切り替える指示が入力されると、前記優先順位に基づいて、現在使用中の前記送信部の送信周波数及び前記受信部の受信周波数を次の順位の周波数に切り替える周波数設定部とを備えたことを特徴とする無線機。
【請求項３】
受信データ判定部が、受信信号中の呼び出し符号と前記呼び出し符号記憶部に記憶されている自システムの呼び出し符号とを比較して、一致しない場合に、現在使用中の周波数の情報と周波数切り替えの指示を含む送信データを、現在使用中の送信周波数で送信部から一斉報知で送信させると共に、
周波数の情報と周波数切り替えの指示を含むデータを一斉報知で受信した場合には、報知部に報知動作を行う指示を出力するか、又は周波数設定部に周波数を切り替える指示を出力することを特徴とする請求項１又は２記載の無線機。
【請求項４】
特定の無線通信システムにおいて直接通信を行う無線機における直接通信方法であって、
別の無線通信システムにおける直接通信の信号を受信した無線機の受信データ判定部が、受信信号中の呼び出し符号と予め記憶されている自システムの呼び出し符号とを比較して、一致しない場合に、報知動作を行う指示を出力し、
当該無線機の報知部が、前記報知動作を行う指示が入力されると、鳴音又は／及び表示により外部への報知動作を行い、
当該無線機の周波数設定部が、外部から周波数を切り替える指示が入力されると、予め記憶された送信及び受信に用いられる周波数の優先順位に基づいて、現在使用中の送信周波数及び受信周波数を次の順位の周波数に切り替えることを特徴とする直接通信方法。
【請求項５】
特定の無線通信システムにおいて直接通信を行う無線機における直接通信方法であって、
別の無線通信システムにおける直接通信の信号を受信した無線機の受信データ判定部が、受信信号中の呼び出し符号と予め記憶されている自システムの呼び出し符号とを比較して、一致しない場合に、周波数を切り替える指示を出力し、
当該無線機の周波数設定部が、前記周波数を切り替える指示が入力されると、予め記憶された送信及び受信に用いられる周波数の優先順位に基づいて、現在使用中の送信周波数及び受信周波数を次の順位の周波数に切り替えることを特徴とする直接通信方法。
【請求項６】
別の無線通信システムにおける直接通信の信号を受信した無線機の受信データ判定部が、受信信号中の呼び出し符号と予め記憶されている自システムの呼び出し符号とを比較して、一致しない場合には、現在使用中の周波数の情報と周波数切り替えの指示を含む送信データを、現在使用中の送信周波数で送信部から一斉報知で送信させ、
前記周波数の情報と周波数切り替えの指示を含むデータを一斉報知で受信した無線機の受信データ判定部が、報知部に報知動作を行う指示を出力するか、又は周波数設定部に周波数を切り替える指示を出力することを特徴とする請求項４又は５記載の直接通信方法。
【発明の詳細な説明】
【技術分野】
【０００１】
本発明は、業務用デジタル移動無線通信システムにおいて、基地局を経由せずに移動局間で通信を行う無線機及びその直接通信方法に係り、特に、利便性及び通信の信頼性を向上させることができる無線機及びその直接通信方法に関する。
【背景技術】
【０００２】
［背景技術の説明］
都道府県・市町村デジタル移動通信システムは、電波産業界（以下、「ＡＲＩＢ」と称する）によって、ＡＲＩＢ  ＳＴＤ  Ｔ−７９として規格化されている。
ＡＲＩＢ  ＳＴＤ  Ｔ−７９では、移動局間直接通信用の周波数として、２６２．０３７５〜２６２．４１２５MHzが割り当てられている。ＴＤＭＡ（Time Division Multiple Access；時分割多重）方式で、２５kHz間隔の１６波である。
【０００３】
一方、消防・救急デジタル無線システムにおいても、移動局間直接通信用の周波数として、都道府県・市町村デジタル移動通信システムと同じ２６２．０３７５〜２６２．４１２５MHz（ＴＤＭＡ方式：２５kHz間隔の１６波）が割り当てられている。
【０００４】
上記各システムでは、音声コーデックとして、ＥＬ−ＣＥＬＰやＡＭＢＥ＋が使用されている。
【０００５】
［無線通信システムの例：図５］
ここで、都道府県・市町村デジタル移動通信システムの例について図５を用いて説明する。図５は、都道府県・市町村デジタル移動通信システムとして用いられる無線通信システムの概略構成図である。
図５に示すように、無線通信システムは、システム全体を制御する統制局２と、通信エリア５内の移動局１との通信を行う基地局３とを備え、統制局２と基地局３とは伝送路４で接続されている。
【０００６】
そして、このような無線通信システムでは、基地局２と移動局１-1のような基地局−移動局間通信や、移動局１-2と移動局１-3のような通信エリア５内にいる移動局同士が基地局２を介して行う移動局−移動局間通信に加えて、移動局１-4と移動局１-Nのように基地局２を介さない移動局間直接通信が行われるようになっている。
【０００７】
移動局１では、移動局間直接通信用に設定されたチャネルが、他システムでも用いられた場合、他システムの直接通信波を受信することがあり、このような場合には自システムの直接通信を行うことができない。
また、他システムの直接通信波を受信しても、自システムと他システムとで音声コーデックが異なる場合、音声の再生は為されない。
【０００８】
［先行技術］
尚、直接通信を行う無線機及び無線通信システムに関する技術としては、特開２００７−５３５７２号公報「無線通信システムおよび無線通信方法」（出願人：株式会社日立国際電気、特許文献１）がある。
特許文献１には、基地局に、上位の指令卓からの指示に従って、移動局間直接通信を行っている移動局の通信を妨害する妨害信号を出力する送信用無線機を備えたものであり、圏外の移動局と通話を行っている移動局も緊急一斉通報が受信できる無線通信システム及び無線通信方法が記載されている。
【先行技術文献】
【特許文献】
【０００９】
【特許文献１】２００７−５３５７２号公報
【発明の概要】
【発明が解決しようとする課題】
【００１０】
しかしながら、従来の都道府県・市町村デジタル移動通信システムにおける無線機及びその直接通信方法では、移動局が自システムの直接通信に割り当てられたチャネルで他システムの直接通信波を受信した場合には、自システムの他の移動局との直接通信を行うことができず、更に、受信した音声コーデックの異なる他システムの音声も再生されないため、利用者には送受信できない理由がわからず、不便であるという問題点があった。
【００１１】
本発明は上記実状に鑑みて為されたもので、他システムの直接通信波を受信した場合に、その旨利用者に報知して、手動または自動でチャネルを切り替えて自システムの直接通信を可能とし、利便性及び通信の信頼性を向上させることができる無線機及びその直接通信方法を提供することを目的とする。
【課題を解決するための手段】
【００１２】
上記従来例の問題点を解決するための本発明は、送信処理を行う送信部と、受信処理を行う受信部と、音声符号化／復号化を行うコーデック部とを備え、特定の無線通信システムにおいて直接通信を行う無線機であって、自システムの呼び出し符号を記憶する呼び出し符号記憶部と、受信信号中の呼び出し符号と呼び出し符号記憶部に記憶されている自システムの呼び出し符号とを比較して、一致しない場合に、報知動作を行う指示を出力する受信データ判定部と、報知動作を行う指示が入力されると、鳴音又は／及び表示により外部への報知動作を行う報知部と、利用者が周波数を切り替える指示を入力する操作部と、予め送信及び受信に用いられる周波数の優先順位を記憶しており、操作部から周波数を切り替える指示が入力されると、当該優先順位に基づいて、現在使用中の送信部の送信周波数及び受信部の受信周波数を次の順位の周波数に切り替える周波数設定部とを備えたことを特徴としている。
【００１３】
また、本発明は、送信処理を行う送信部と、受信処理を行う受信部と、音声符号化／復号化を行うコーデック部とを備え、特定の無線通信システムにおいて直接通信を行う無線機であって、自システムの呼び出し符号を記憶する呼び出し符号記憶部と、受信信号中の呼び出し符号と呼び出し符号記憶部に記憶されている自システムの呼び出し符号とを比較して、一致しない場合に、周波数を切り替える指示を出力する受信データ判定部と、予め送信及び受信に用いられる周波数の優先順位を記憶しており、周波数を切り替える指示が入力されると、当該優先順位に基づいて、現在使用中の送信部の送信周波数及び受信部の受信周波数を次の順位の周波数に切り替える周波数設定部とを備えたことを特徴としている。
【００１４】
また、本発明は、上記無線機において、無線機受信データ判定部が、受信信号中の呼び出し符号と前記呼び出し符号記憶部に記憶されている自システムの呼び出し符号とを比較して、一致しない場合に、現在使用中の周波数の情報と周波数切り替えの指示を含む送信データを、現在使用中の送信周波数で送信部から一斉報知で送信させると共に、周波数の情報と周波数切り替えの指示を含むデータを一斉報知で受信した場合には、報知部に報知動作を行う指示を出力するか、又は周波数設定部に周波数を切り替える指示を出力することを特徴としている。
【００１５】
また、本発明は、特定の無線通信システムにおいて直接通信を行う無線機における直接通信方法であって、別の無線通信システムにおける直接通信の信号を受信した無線機の受信データ判定部が、受信信号中の呼び出し符号と予め記憶されている自システムの呼び出し符号とを比較して、一致しない場合に、報知動作を行う指示を出力し、当該無線機の報知部が、報知動作を行う指示が入力されると、鳴音又は／及び表示により外部への報知動作を行い、当該無線機の周波数設定部が、外部から周波数を切り替える指示が入力されると、予め記憶された送信及び受信に用いられる周波数の優先順位に基づいて、現在使用中の送信周波数及び受信周波数を次の順位の周波数に切り替えることを特徴としている。
【００１６】
また、本発明は、特定の無線通信システムにおいて直接通信を行う無線機における直接通信方法であって、別の無線通信システムにおける直接通信の信号を受信した無線機の受信データ判定部が、受信信号中の呼び出し符号と予め記憶されている自システムの呼び出し符号とを比較して、一致しない場合に、周波数を切り替える指示を出力し、当該無線機の周波数設定部が、周波数を切り替える指示が入力されると、予め記憶された送信及び受信に用いられる周波数の優先順位に基づいて、現在使用中の送信周波数及び受信周波数を次の順位の周波数に切り替えることを特徴としている。
【００１７】
また、本発明は、上記直接通信方法において、別の無線通信システムにおける直接通信の信号を受信した無線機の受信データ判定部が、受信信号中の呼び出し符号と予め記憶されている自システムの呼び出し符号とを比較して、一致しない場合には、現在使用中の周波数の情報と周波数切り替えの指示を含む送信データを、現在使用中の送信周波数で送信部から一斉報知で送信させ、周波数の情報と周波数切り替えの指示を含むデータを一斉報知で受信した無線機の受信データ判定部が、報知部に報知動作を行う指示を出力するか、又は周波数設定部に周波数を切り替える指示を出力することを特徴としている。
【発明の効果】
【００１８】
本発明によれば、送信処理を行う送信部と、受信処理を行う受信部と、音声符号化／復号化を行うコーデック部とを備え、特定の無線通信システムにおいて直接通信を行う無線機であって、自システムの呼び出し符号を記憶する呼び出し符号記憶部と、受信信号中の呼び出し符号と呼び出し符号記憶部に記憶されている自システムの呼び出し符号とを比較して、一致しない場合に、報知動作を行う指示を出力する受信データ判定部と、報知動作を行う指示が入力されると、鳴音又は／及び表示により外部への報知動作を行う報知部と、利用者が周波数を切り替える指示を入力する操作部と、予め送信及び受信に用いられる周波数の優先順位を記憶しており、操作部から周波数を切り替える指示が入力されると、当該優先順位に基づいて、現在使用中の送信部の送信周波数及び受信部の受信周波数を次の順位の周波数に切り替える周波数設定部とを備えた無線機としているので、他システムの直接通信波を受信した場合には、利用者にその旨報知して周波数の切り替えを促し、利用者の操作によって送受信周波数を次順位の周波数に切り替えて自システムの直接通信を行うことができ、利便性及び通信の信頼性を向上させることができる効果がある。
【００１９】
また、本発明によれば、送信処理を行う送信部と、受信処理を行う受信部と、音声符号化／復号化を行うコーデック部とを備え、特定の無線通信システムにおいて直接通信を行う無線機であって、自システムの呼び出し符号を記憶する呼び出し符号記憶部と、受信信号中の呼び出し符号と呼び出し符号記憶部に記憶されている自システムの呼び出し符号とを比較して、一致しない場合に、周波数を切り替える指示を出力する受信データ判定部と、予め送信及び受信に用いられる周波数の優先順位を記憶しており、周波数を切り替える指示が入力されると、当該優先順位に基づいて、現在使用中の送信部の送信周波数及び受信部の受信周波数を次の順位の周波数に切り替える周波数設定部とを備えた無線機としており、他システムの直接通信波を受信した場合には、利用者が操作を行わなくても速やかに送受信周波数を次順位の周波数に切り替えて自システムの直接通信を行うことができ、利便性及び通信の信頼性を向上させることができる効果がある。
【００２０】
また、本発明によれば、無線機受信データ判定部が、受信信号中の呼び出し符号と前記呼び出し符号記憶部に記憶されている自システムの呼び出し符号とを比較して、一致しない場合に、現在使用中の周波数の情報と周波数切り替えの指示を含む送信データを、現在使用中の送信周波数で送信部から一斉報知で送信させると共に、周波数の情報と周波数切り替えの指示を含むデータを一斉報知で受信した場合には、報知部に報知動作を行う指示を出力するか、又は周波数設定部に周波数を切り替える指示を出力する上記無線機としているので、他システムの直接通信波を受信しない場所にいる無線機も、現在使用中の周波数を用いた一斉報知により、周波数の切り替えを認識して、次順位の周波数に切り替えることができ、自システム内における直接通信の周波数を統一して、どの無線機とも直接通信可能な状態とすることができる効果がある。
【００２１】
また、本発明によれば、特定の無線通信システムにおいて直接通信を行う無線機における直接通信方法であって、別の無線通信システムにおける直接通信の信号を受信した無線機の受信データ判定部が、受信信号中の呼び出し符号と予め記憶されている自システムの呼び出し符号とを比較して、一致しない場合に、報知動作を行う指示を出力し、当該無線機の報知部が、報知動作を行う指示が入力されると、鳴音又は／及び表示により外部への報知動作を行い、当該無線機の周波数設定部が、外部から周波数を切り替える指示が入力されると、予め記憶された送信及び受信に用いられる周波数の優先順位に基づいて、現在使用中の送信周波数及び受信周波数を次の順位の周波数に切り替える直接通信方法としているので、他システムの直接通信波を受信した場合には、利用者にその旨報知して周波数の切り替えを促し、利用者の操作によって送受信周波数を次順位の周波数に切り替えて自システムの直接通信を行うことができ、利便性及び通信の信頼性を向上させることができる効果がある。
【００２２】
また、本発明によれば、特定の無線通信システムにおいて直接通信を行う無線機における直接通信方法であって、別の無線通信システムにおける直接通信の信号を受信した無線機の受信データ判定部が、受信信号中の呼び出し符号と予め記憶されている自システムの呼び出し符号とを比較して、一致しない場合に、周波数を切り替える指示を出力し、当該無線機の周波数設定部が、周波数を切り替える指示が入力されると、予め記憶された送信及び受信に用いられる周波数の優先順位に基づいて、現在使用中の送信周波数及び受信周波数を次の順位の周波数に切り替える直接通信方法としているので、他システムの直接通信波を受信した場合には、利用者が操作を行わなくても速やかに送受信周波数を次順位の周波数に切り替えて自システムの直接通信を行うことができ、利便性及び通信の信頼性を向上させることができる効果がある。
【００２３】
また、本発明によれば、別の無線通信システムにおける直接通信の信号を受信した無線機の受信データ判定部が、受信信号中の呼び出し符号と予め記憶されている自システムの呼び出し符号とを比較して、一致しない場合には、現在使用中の周波数の情報と周波数切り替えの指示を含む送信データを、現在使用中の送信周波数で送信部から一斉報知で送信させ、周波数の情報と周波数切り替えの指示を含むデータを一斉報知で受信した無線機の受信データ判定部が、報知部に報知動作を行う指示を出力するか、又は周波数設定部に周波数を切り替える指示を出力する上記直接通信方法としているので、他システムの直接通信波を受信しない場所にいる無線機に、現在使用中の周波数を用いた一斉報知で周波数の切り替えを報知して次順位の周波数に切り替えさせることができ、自システム内の無線機における直接通信の周波数を統一して、どの無線機とも直接通信可能な状態とすることができる効果がある。
【図面の簡単な説明】
【００２４】
【図１】本発明の実施の形態に係る無線機の構成ブロック図である。
【図２】直接通信における物理チャネルの信号フォーマット（ビット配分）を示す模式説明図である。
【図３】本無線機の受信データ判定部１８の処理を示すフローチャートである。
【図４】受信データ判定部１８の別の処理を示すフローチャートである。
【図５】都道府県・市町村デジタル移動通信システムとして用いられる無線通信システムの概略構成図である。
【発明を実施するための形態】
【００２５】
［発明の概要］
本発明の実施の形態について図面を参照しながら説明する。
本発明の実施の形態に係る無線機及びその直接通信方法は、特定の無線通信システムにおいて直接通信を行う移動局として用いられる無線機が、受信した直接通信波に含まれる呼び出し符号が自システムのものであるか否かを判定し、自システムのものでなかった場合には、鳴音又は／及び表示により利用者に報知して、利用者の操作によって、予め記憶されているチャネルの優先順位に基づいて、送信周波数及び受信周波数を次の優先順位のチャネルに切り替えるものであり、他システムの直接通信波を受信した場合に利用者にその旨知らせて、チャネルの切り替えを促すことができ、他システムとは別のチャネルで直接通信できるようにして、利便性及び通信の信頼性を向上させることができるものである。
【００２６】
また、本発明の実施の形態に係る無線機及びその直接通信方法は、他システムの直接通信波を受信した場合に、利用者の操作がなくても、予め記憶されているチャネルの優先順位に基づいて、使用チャネルを切り替えるものであり、他システムの直接通信波を受信した場合に、速やかにチャネルを切り替えて自システムの直接通信を可能とすることができ、利便性及び通信の信頼性を向上させることができるものである。
【００２７】
また、本発明の実施の形態に係る無線機及びその直接通信方法は、他システムの直接通信波を受信した場合に、自システムの他端末向けに現在使用中のチャネルを用いて次順位のチャネルへの切り替えを指示する一斉報知を行い、その後、自己の使用チャネルを当該次順位のチャネルに切り替えると共に、他の端末からチャネルの切り替えを指示する一斉報知を受信した場合には、それに従って次順位のチャネルに切り替えるものであり、他システムの直接通信波を受信しなかった端末にもチャネルの切り替えを報知でき、自システムの端末間での直接通信を常に可能な状態に保つことができ、利便性及び通信の信頼性を向上させることができるものである。
【００２８】
［実施の形態の構成：図１］
本発明の実施の形態に係る無線機の構成について図１を用いて説明する。図１は、本発明の実施の形態に係る無線機の構成ブロック図である。
図１に示すように、本発明の実施の形態に係る無線機（本無線機）１は、図５に示した無線通信システムの移動局として用いられ、移動局間の直接通信を行うものであり、アンテナ１０と、送受切り替えスイッチ１１と、送信処理部１２と、送信データ生成部１３と、ＣＯＤＥＣ部１４と、呼び出し符号記憶部１５と、受信処理部１６と、受信データ抽出部１７と、受信データ判定部１８と、鳴音部１９と、表示部２０と、操作部２１と、周波数設定部２２と、マイク２３と、スピーカ２４とを備えている。
【００２９】
各構成部分について説明する。
アンテナ１０は、無線信号の送受信を行う。
送受切り替えスイッチ１１は、送信処理部１２からの送信信号をアンテナ１０に出力し、アンテナ１０からの受信信号を受信処理部１６に出力する。
マイク２３は、入力された送話音声をアナログ信号の音声データに変換する。
スピーカ２４は、ＣＯＤＥＣ部１４から出力されたアナログ信号の音声データを送話音声として出力する。
ＣＯＤＥＣ部１４は、送話音声データを特定の音声符号化方式で符号化し、音声符号化データとして送信データ生成部１３に出力する。また、受信データ抽出部１４から出力された音声符号化データを当該音声符号化方式に対応した復号方式で復号化し、音声信号をスピーカ２３に出力する。
【００３０】
呼び出し符号記憶部１５は、本無線機が用いられる無線通信システムの呼び出し符号を記憶している。呼び出し符号は無線通信システムに固有の情報である。
【００３１】
送信データ生成部１３は、ＣＯＤＥＣ部１４からの符号化された送話音声データに、呼び出し符号記憶部１５から読み出した呼び出し符号等を付加して所定の送信データのフォーマットに従って送信データを生成する。
送信処理部１２は、送信データを、後述する周波数設定部２２から指示された周波数で送信する無線信号に変調してアンテナ１０に出力する。
【００３２】
受信処理部１６は、周波数設定部２２から指定された周波数で受信した無線信号を復調する。
受信データ抽出部１７は、復調データから音声符号化データを抽出してＣＯＤＥＣ部１４に出力すると共に、呼び出し符号を含むデータを受信データ判定部１８に出力する。
【００３３】
受信データ判定部１８は、呼び出し符号記憶部１５から読み出した呼び出し符号と、受信データ抽出部１７から出力されたデータに含まれる呼び出し符号とを比較して一致するか否かを判定する。
そして、受信データ判定部１８は、受信した呼び出し符号が、記憶されている呼び出し符号と一致した場合には、受信信号は自システムの直接通信波であると判断し、受信処理を継続する。
【００３４】
また、受信した呼び出し符号が、記憶されている呼び出し符号と一致しなかった場合には、受信データ判定部１８は、受信信号が自システムの直接通信波ではないとして、鳴音部１９に報知音を出力させ、又は／及び表示部２０にその旨表示させる。
更に、周波数変更を自動で行う設定が為されている場合には、周波数設定部２２に周波数変更の指示を出力する。また、周波数変更を自動で行う場合には、鳴音部１９での鳴音と表示部２０での表示を行わないようにしてもよい。
【００３５】
鳴音部１９は、受信データ判定部１８からの指示に従って、利用者に他システムの直接通信波を受信していることを通知する注意喚起音を鳴音する。
表示部２０は、受信データ判定部１８からの指示に従って、利用者に他システムの直接通信波を受信していることを通知するメッセージ等の表示を行う。メッセージの例としては、「現在のチャネルは別のシステムで使われています。周波数切り替えの操作を行ってください」といった内容が考えられる。
また、表示部２０に、現在設定されているチャネル番号を表示する構成としてもよい。
尚、請求項に記載した報知部は、鳴音部１９と表示部２０を合わせた構成に相当している。
【００３６】
操作部２１は、利用者が、周波数設定部２２に対して、使用するチャネルを切り替える指示を入力する。また、受信データ判定部１８に対して、周波数変更を手動で行うか、自動で行うかを指定する（図示せず）。
【００３７】
周波数設定部２２は、本無線機の特徴部分であり、送信処理部１２に送信周波数を指定し、受信処理部１６に受信周波数を指定する。
本無線機の周波数設定部２２は、送信及び受信に用いられる周波数（チャネル）について、使用可能なチャネルの優先順位を記憶している。優先順位は、例えば「チャネル５→チャネル８→…」というように決められている。
【００３８】
そして、周波数設定部２２は、たとえば電源投入時に、優先順位が１番のチャネルの周波数を送信処理部１２と受信処理部１６に設定する。
また、周波数設定部２２には、現在設定されているチャネルの番号を記憶しておく。
【００３９】
そして、操作部２１から、チャネルを切り替える指示が入力されると、周波数設定部２２は、優先順位を参照して、現在設定されているチャネルの次順位のチャネルを読み出し、送信処理部１２及び受信処理部１６に読み出したチャネルに対応する周波数を設定する。
または、受信データ判定部１８から周波数変更の指示が入力されると、周波数設定部２２は、優先順位を参照して、次順位のチャネルを読み出し、送信処理部１２及び受信処理部１６に読み出したチャネルに対応する周波数を設定する。
ここで、周波数の変更を操作部２１から手動で行うか、周波数設定部２２の処理によって自動で行うかは、予め利用者が操作部２１から設定するか又はデフォルトにより、受信データ判定部１８に記憶されているものとする。
【００４０】
［本無線機の動作：図１］
次に、本無線機の動作（本実施の形態に係る直接通信方法）について図１を用いて説明する。
まず、送信時には、マイク２３から入力された音声は、ＣＯＤＥＣ部１４で音声符号化データに変換され、送信データ生成部１３で呼び出し符号等が付加されて送信データが生成され、送信処理部１２で指定された周波数の送信信号に変換されてアンテナ１０から送信される。
【００４１】
受信時には、アンテナ１０で受信された受信信号は、受信処理部１６で復調され、受信データ抽出部１７で音声符号化データが抽出されてＣＯＤＥＣ部１４で復号化され、送話音声としてスピーカ２４から出力される。
【００４２】
更に、受信データ判定部１８が、受信データ抽出部１７から出力された受信復号データから呼び出し符号を読み取り、呼び出し符号記憶部１５に記憶されている呼び出し符号と比較し、一致するか否かを判断する。
一致する場合には、受信データ判定部１８は、受信信号が自システムの直接通信波であると判断して、本無線機はそのまま受信処理を継続する。
【００４３】
一致しない場合には、受信データ判定部１８は、受信信号が他システムの直接通信波であると判断して、鳴音部１９及び表示部２０に報知の指示を出力して、鳴音部１９から注意喚起音を出力し、表示部２０にチャネル切り替えを促すメッセージを出力する。また、周波数変更を自動で行うことが設定されている場合には、受信データ判定部１８は、周波数設定部２２に周波数変更指示を出力する。
尚、他システムの直接通信波を受信していることを報知するのは、鳴音部１９、表示部２０のいずれかであってもよいし、周波数変更を自動で行うことが設定されている場合には、鳴音部１９、表示部２０での報知動作を行わないように構成することも可能である。
【００４４】
利用者は、鳴音部１９からの注意喚起音や、表示部２０の表示メッセージ等により、他システムの直接通信波を受信していることを認識して、操作部２１から次の優先順位のチャネルを使用チャネルとする指示を入力する。
【００４５】
周波数設定部２２は、利用者によって入力された操作部２１からの指示に従って、現在設定されているチャネルの次の優先順位のチャネルに対応する周波数を、それぞれ送信処理部１２、受信処理部１６に設定する。
または、受信データ判定部１８から周波数変更指示が入力された場合には、周波数設定部２２は、次の優先順位のチャネル番号を読み出して、対応する周波数を送信処理部１２と受信処理部１６に設定する。
このようにして、本無線機の動作が行われるものである。
【００４６】
これにより、他システムの直接通信波を受信した本無線機（移動局）は、迅速に別のチャネルに変更することができ、他システムの直接通信波とは異なる周波数で送受信を行うようにすることによって、自システムの移動局間で直接通信による送受信ができなくなるのを防ぐことができるものである。
【００４７】
［データフォーマット：図２］
次に、直接通信で用いられる物理チャネルの信号フォーマットについて図２を用いて説明する。図２は、直接通信における物理チャネルの信号フォーマット（ビット配分）を示す模式説明図である。
図２に示すように、直接通信における物理チャネルは、３２０ビットの内、ガード時間（Ｇ）が８ビット、バースト過渡応答用ガード時間（Ｒ）が６ビット、プリアンブル（Ｐ）が２ビット、トラヒックチャネル（ＴＣＨ）又は直接付随制御チャネル（ＤＡＣＣＨ）が１４０ビット、同期ワード（ＳＷ）が２０ビット、パラメータ情報チャネル（ＰＩＣＨ）が１２ビット、トラヒックチャネル（ＴＣＨ）又は直接付随制御チャネル（ＤＡＣＣＨ）が１１６ビット、ガード時間（Ｇ）が１６ビットとなっている。
【００４８】
そして、ビジーアイドルビット（ＢＩ、１ビット）とＩＤ区分ビット（ＩＣ、１ビット）が付加された呼び出し符号（ＩＤ、２０ビット）の情報は、５フレーム分のＰＩＣＨの中に分割されて含まれており、本無線機の受信データ抽出部１７では、連続５フレームにわたって受信したＰＩＣＨから呼び出し符号（ＩＤ）を検出するようになっている。
【００４９】
［受信データ判定部１８の処理：図３］
次に、本無線機の受信データ判定部１８の処理について図３を用いて説明する。図３は、本無線機の受信データ判定部１８の処理を示すフローチャートである。
本無線機の受信データ判定部１８は、受信データが入力されると（１００）、受信データのＰＩＣＨに含まれる呼び出し符号を読み取り（１０２）、呼び出し符号記憶部１５に記憶されている自システムの呼び出し符号と比較して、受信した呼び出し符号が自システムのものであるか否かを判断する（１０４）。
【００５０】
受信した呼び出し符号が自システムのものであれば、受信データ判定部１８は、処理１００に移行してそのまま受信処理を続ける。
処理１０４で、受信した呼び出し符号が自システムのものでなければ、受信データ判定部１８は、鳴音部１９及び表示部２０に対して報知の指示を出力する（１０６）。
【００５１】
そして、受信データ判定部１８は、内部に設定されている周波数変更の設定が手動であるか自動であるかを判断し（１０８）、手動であれば処理を終わる。
また、周波数変更の設定が自動であれば、周波数設定部２２に対して周波数変更指示を出力する（１１０）。
このようにして受信データ判定部１８の処理が行われる。
【００５２】
また、デフォルトで周波数変更の設定が自動となっている場合には、受信データ判定部１８は、処理１０６，１０８を行わず、鳴音や表示で報知することなく周波数設定部２２へ周波数変更指示を出力するようにしてもよい。
このようにすれば、利用者を全く煩わせることなく、自動的に、他システムで使用中のチャネルから使用可能なチャネルに切り替えて、直接通信可能な状態を保持することができ、利便性を向上できるものである。
【００５３】
［本無線機の別の動作：図１］
次に、本無線機の別の動作について図１を用いて説明する。
上述した例では、受信データ判定部１８は、受信した呼び出し符号が自システムのものでなかった場合に、鳴音部１９、表示部２０により利用者にその旨報知して周波数の切り替えを促し、または、周波数設定部２２に周波数変更指示を出力して、次順位のチャネルに切り替えさせるようにしており、移動局の存在範囲が狭い場合には十分有効であるが、移動局が広範囲に存在している場合には、全ての移動局が他システムの直接通信波を同じように受信するとは限らない。
そして、他システムの直接通信波を受信しない場所にいる移動局は、上述した処理を行うことはできず、更に、自システムの直接通信用のチャネルが切り替わったことも認識できない。
【００５４】
そこで、別の例では、受信データ判定部１８が、受信した呼び出し符号が自システムのものでなかった場合に、自システムの他の移動局に対して現在使用されているチャネルが他システムによって使用されていることを一斉報知してから、自己のチャネルを手動又は自動で次順位のチャネルに切り替えるようにしている。
【００５５】
別の例では、送信データ生成部１３に、特定の番号のチャネルが他システムで使用されている（ビジーである）旨報知する制御データを予め記憶しておき、受信データ判定部１８から周波数変更の一斉報知の指示と現在使用中のチャネル番号が入力されると（図示省略）、当該番号のチャネルがビジーであるため周波数の変更を指示する制御データを含む一斉報知の送信データを生成して、送信処理部１２に出力する。
【００５６】
ここで、受信データ判定部１８は、一斉報知を行う際に、現在使用しているチャネルで受信する直接通信波の受信レベルを検出し、現在のチャネルでの受信レベルが予め設定された値よりも低い時に、一斉報知信号を出力するよう送信処理部１２を制御する（図示省略）。つまり、現在のチャネルで他システムの直接通信波を受信していない時に一斉報知を行うものである。受信レベルの検出は受信処理部１６で行われる。
【００５７】
一方、一斉報知の情報を受け取った移動局の受信データ判定部１８は、周波数設定部２２に周波数変更指示を出力して、周波数設定部２２が、内部に記憶されているチャネルの優先順位に基づいて、ビジーであると報知されたチャネルの次順位のチャネルに対応する周波数を送信処理部１２及び受信処理部１６に設定するようになっている。
または、一斉報知を受信した移動局の受信データ判定部１８は、鳴音部１９及び表示部２０に報知動作の指示を出力して、利用者に手動での周波数切り替えを促してもよい。
【００５８】
［受信データ判定部１８の別の処理：図４］
次に、受信データ判定部１８の別の処理について図４を用いて説明する。図４は、受信データ判定部１８の別の処理を示すフローチャートである。
図４に示すように、処理２００，２０２，２０４は、図３に示した処理１００，１０２，１０４と同じであるため説明を省略する。
そして、処理２０４で、受信した呼び出し符号が自システムのものでなかった場合には、受信データ判定部１８は、周波数設定部２２から現在使用されているチャネルの番号を読み取り（２０６）、送信データ生成部１３に、現在のチャネル番号と周波数変更の指示を含む一斉報知の指示を出力する（２０８）。
【００５９】
そして、受信データ判定部１８は、現在使用しているチャネルの受信レベルに基づいて一斉報知のタイミングを判断し、受信レベルが低いとき、つまり他システムの直接通信波を受信していない時に、送信処理部１２に対して一斉報知の出力を指示する（２１０）。
【００６０】
その後、受信データ判定部１８は、処理２１２，２１４，２１６によって利用者に報知し、自己のチャネルを切り替える。処理２１２，２１４，２１６は、図３に示した処理１０６，１０８，１１０と同じであるため説明を省略する。
尚、一斉報知を受信した無線機も、受信データ判定部１８において、受信データが一斉報知であると判定した場合には、処理２１２，２１４，２１６を実行して利用者に報知し、自己のチャネルを切り替える。
このようにして、受信データ判定部１８の別の処理が行われるものである。
【００６１】
［実施の形態の効果］
本発明の実施の形態に係る無線機及びその直接通信方法によれば、直接通信を行う移動局として用いられる無線機において、受信データ判定部１８が、受信データ中に含まれる呼び出し符号が呼び出し符号記憶部１５に記憶されている自システムの呼び出し符号とが一致しなかった場合に、鳴音部１９又は／及び表示部２０に報知動作を行う指示を出力し、操作部２１からの指示に従って、周波数設定部２２が内部に記憶されているチャネルの優先順位に基づいて、送信周波数及び受信周波数を次順位のチャネルに切り替えるようにしているので、他システムの直接通信波を受信した場合に、鳴音部１９からの注意喚起音又は／及び表示部２０のメッセージによって、利用者にチャネルの切り替えを促して、利用者の操作で、他システムで使用されているチャネルから次のチャネルに送受信周波数を切り替えることにより、自システムの直接通信を行うことができ、利便性及び通信の信頼性を向上させることができる効果がある。
【００６２】
また、本無線機及びその直接通信方法によれば、受信データ判定部１８が、受信データ中に含まれる呼び出し符号が呼び出し符号記憶部１５に記憶されている自システムの呼び出し符号と一致しなかった場合に、周波数設定部２２に周波数変更指示を出力し、周波数設定部２２が、内部に記憶されているチャネルの優先順位に基づいて、現在使用されているチャネルの次順位のチャネルの周波数を送信処理部１２及び受信処理部１６に設定するようにしているので、他システムの直接通信波を受信した場合には、速やかに次の周波数に切り替えて自システムの直接通信を行うことができるようにし、利便性及び通信の信頼性を向上させることができる効果がある。
【００６３】
また、本無線機及びその直接通信方法によれば、受信データ判定部１８が、受信データ中に含まれる呼び出し符号が呼び出し符号記憶部１５に記憶されている自システムの呼び出し符号と一致しなかった場合に、周波数設定部２２から現在使用されているチャネル番号を読み取って、送信データ生成部１３に当該チャネル番号と周波数切り替えの指示とを含む一斉報知を行う指示を出力し、受信処理部１６で検出された現在使用されているチャネルの受信レベルに基づいて、受信レベルが一定値より低いときに送信処理部１２に対して一斉報知を送信する指示を出力すると共に、別の移動局からチャネル番号と周波数切り替えの指示を含む一斉報知を受信した場合には、周波数設定部２２が、記憶されているチャネルの優先順位に基づいて、送信周波数及び受信周波数を当該一斉報知に含まれるチャネル番号の次順位のチャネルに切り替えるようにしているので、他システムの直接通信波を受信しなかった移動局も受信した移動局と同様にチャネルの切り替えを行うことができ、自システムの直接通信を支障なく行うことができ、通信の信頼性を向上させることができる効果がある。
【００６４】
尚、２つの無線通信システムで直接通信に同一の周波数を用いている場合、２つのシステムのいずれにおいても本無線機及び本無線機における直接通信方法を用いることにより、一層顕著な効果が得られるものである。
【産業上の利用可能性】
【００６５】
本発明は、利便性及び通信の信頼性を向上させることができる無線機及びその直接通信方法に適している。
【符号の説明】
【００６６】
１０…アンテナ、  １１…送受切り替えスイッチ、  １２…送信処理部、  １３…送信データ生成部、  １４…コーデック部、  １５…呼び出し符号記憶部、  １６…受信処理部、  １７…受信データ抽出部、  １８…受信データ判定部、  １９…鳴音部、  ２０…表示部、  ２１…操作部、  ２２…周波数設定部
【図１】
2010283725.tif 000003
【図２】
2010283725.tif 000004
【図３】
2010283725.tif 000005
【図４】
2010283725.tif 000006
【図５】
2010283725.tif 000007